(57)【要約】【課題】  災害時などにおいて、ペットボトル等の簡単に入手できる素材を用いて簡易便器を構成可能にする。【解決手段】  便座１に対して脚体としてペットボトル５を接続し（図Ａ）、或いはジョイント部材１１を用いてスチール缶１０を連接したものを脚体として構成し、これを便座１に接続して（図Ｂ）簡易便器を構成する。便器としてはこの状態でも使用可能であるが、便座１に対して支持棒７を立設し、この支持棒７に傘（図示せず）を取り付け、開いた傘に対してシートを掛けて便器使用者の姿を隠すようにしてもよい。支持棒７は分割ポール７ａ〜７ｄとして、不使用時に分割して所定の容器に収納保管する。支持棒７の立設は廃止して、分割ポール７ａ〜７ｄをそれぞれ便座１に対して接続し、各分割ポールを脚体として簡易便器を構成してもよい。【選択図】  図２
2019071979.tif 000002
【特許請求の範囲】
【請求項１】
便座と複数本の脚体とから成り、便座に対して複数本の脚体を接続することにより便器として構成されることを特徴とする簡易トイレ用器具。
【請求項２】
前記便座には支持棒挿通部が突出形成され、当該支持棒挿通部を挿通立設された支持棒により傘、シート等が支持されトイレ使用者の姿を隠すよう構成したことを特徴とする請求項１記載の簡易トイレ用器具。
【請求項３】
前記支持棒は複数の分割ポールを連接して構成され、各分割ポールは脚体として便座に接続されるよう構成したこと特長とする請求項１又は２記載の簡易トイレ用器具。
【請求項４】
各分割ポールの一端には他の分割ポールと接続するジョイント部材が設けられ、これら各分割ポールのジョイント部材を便座の凹所に嵌挿してそれぞれ脚体とすることを特徴とする請求項１乃至３の何れかに記載の簡易トイレ用器具。
【請求項５】
前記脚体はペットボトルであり、当該ペットボトルのキャプ部が便座に接続するよう構成したことを特徴とする請求項１記載の簡易トイレ用器具。
【請求項６】
前記脚体は複数本のスチール缶を連接したものであることを特徴とする請求項１記載の簡易トイレ用器具。
【請求項７】
一つの脚体は３本のスチール缶により構成され、下段のスチール缶と中段のスチール缶及び当該中段のスチール缶と上段のスチール缶とは同じ構成の中間ジョイント部材により接続され、上段のスチール部材の上端は便座と係合する頂部ジョイント部材を装着したことを特徴とする請求項６記載の簡易トイレ用器具。
【請求項８】
便座の脚体が係合する凹所は、前記ペットボトルのキャップの外径に対応してその内径が決められ、分割ポールのジョイント部材の外径、スチール缶の頂部ジョイント部材の挿通部の外径はこの便座の凹所の内径に対応して決められることにより、一つの便座に対して分割ポール、ペットボトル、スチール缶の何れもが脚体として利用可能なよう構成されたことを特徴とする請求項３乃至６の何れかに記載の簡易トイレ用器具。
【請求項９】
便座は分離可能な上面体と下面体の二つの部材から構成され、これら二つの部材の間に形成される空間に、スチール缶のジョイント部材等の部品の収納が可能なよう構成したことを特徴とする請求項１乃至８の何れかに記載の簡易トイレ用器具。
【請求項１０】
分解した器具を収納する持ち運び容器が設けられ、持ち運び容器内には便座、複数本の分割ポールを収納可能に構成したことを特徴とする請求項１記載の簡易トイレ用器具。
【請求項１１】
遮蔽用シート、ポンチョ等のシート状物を収納する平面略円形のシート収納容器が形成され、このシート収納容器の外径は便座の開口部の内径よりもやや小さく形成され、前記持ち運び容器内に収納された便器の開口部にこのシート収納容器を配置できるようにしたことを特徴とする請求項１０記載の簡易トイレ用器具。
【発明の詳細な説明】
【技術分野】
【０００１】
本発明は、公衆トイレの使用が期待できないキャンプやハイキング等の際に、或いは地震等の災害発生時等の際に、室内の常設トイレが使用出来ないときに、洋式トイレのように便座に座って用便することが可能な簡易トイレ用器具に関する。
【背景技術】
【０００２】
一般論として、家庭内、公共施設、学校等の既設のトイレのうち和式トイレ及び洋式トイレの使用状態を比較して、３０歳代では約８０％、６０歳代以上では９０％以上と年齢が上がるに従って、洋式トイレの使用が増える傾向にある（＠ｎｉｆｔｙニュース等）。
【０００３】
この結果は、和式トイレを使用した経験が無いか使用経験が少ない若年層は当然のことであるが、年代的にかつては和式トイレの使用者であったはずの高齢者の場合にあっては、筋力の低下や膝等の関節に障害がある等の理由により和式トイレの使用ができなくなり、必然的に洋式トイレに移行せざるを得なくなった者が多数存在すると思われる。
【０００４】
ここで、前記キャンプ等の屋外にいる場合や災害等で自宅のトイレが使用できない常用において、何らの器具を用いずに用便する必要に迫られた場合には、しゃがんで和式トイレの体勢で行わなければならない。これは若年者にとっては今まで行ったことの無いきまりの悪いこと程度で済まされるが、しゃがみ込みや立ち上がりが極めて困難又は不可能な前記高齢者等にとっては用便が不可能になるという深刻な事態を意味することにもなる。
【０００５】
以上の観点も含め、屋外活動時或いは緊急時に既設のトイレでなくとも座って、つまり洋式トイレの体勢で用足しのできる簡易器具が以下に示す特許文献の如く幾つか提案されている。
【先行技術文献】
【特許文献】
【０００６】
【特許文献１】特開２０１７−０３８９０９号公報
【特許文献２】特開２００２−２２５９７０号公報
【特許文献３】実用新案登録第３１７５６０４号公報
【発明の概要】
【発明が解決しようとする課題】
【０００７】
上記特許文献１記載の発明は、大型の缶とこの缶に収納される便座と、ポリ袋と、処理剤とから成り、使用時には缶からこれらのものを取り出し、缶の上端縁に便座を配置し、かつポリ袋を、便座を覆うにして残りは缶内に配置し、かつポリ袋内に処理剤を入れて用便するように構成され、用便後は排泄物が入ったポリ袋を取り出し処分するものである。
【０００８】
この構成は、排泄物の処理等において効率的かつ衛生的である。一方、人の体重に耐える大型かつ強固な缶を容器として必要とするので、排泄器具全体が大型かつ大重量化することは否めない。このため持ち運びは不便であり、かつ災害時の使用を目的として複数個の器具を保管するには大きなスペースを確保する必要がある。
【０００９】
特許文献２記載の発明は、前記特許文献１記載の発明と用便時の取扱などは略同様に構成されたものであるが、設置場所が公園などの人の集まる場所に固定的に設置されるものであって、公衆トイレとして利用可能に構成されているため、多数人の使用を前提として構造はより強固・大重量に形成され、持ち運びに関しては必然的に前記特許文献１の発明よりも更に簡便性に欠けるものとなっている。
【００１０】
特許文献３記載の考案は便座に対して昇降可能な脚部を形成し、不使用時には脚部を最低位置まで折り畳んでおける構成となっている。これにより便器は不使用時には小型に構成することが期待できる。然し、脚の折り畳み機構は用便時に人の全体重を支持せねばならず、この要求に耐えられるよう強固な構成とする必要があって、器具全体の重量が増加することは否めない。また昇降機構は回転螺子や昇降用のアーム、このアームに対するリンク等の構成要素を必要とし、機構全体が複雑であり日頃の手入れを怠ると、必要な時に機構の作動不良や故障を起こす事態が発生する可能性も憂慮される。
【課題を解決するための手段】
【００１１】
本発明は上記従来技術の問題点を解消した簡易型のトイレ用器具であって、本発明の第１の構成は、器具本体を成す便座を有し、この便座は脚体を係合接続させる係合部を複数箇所有し、脚体としてはこの便座と係合する専用の部材の外、ペットボトル、スチール缶等の代替品を使用可能にするよう構成し、これら脚体と便座を一体化することにより簡易便器を構成するようにした簡易型トイレ用具である。
【００１２】
第２の構成は、ポリ袋等を確実に係止する構造を便座に設けた簡易型トイレ用器具である。
【００１３】
第３の構成は、便座に支柱（支持棒）を立設する支持部を形成して、この支柱支持部に立設した支持棒にカバーを取り付け、用便時に本人を外部から遮蔽するようにした簡易型トイレ用具である。
【００１４】
第４の構成は、脚体をコーヒーや清涼飲料等の使用済スチール缶により形成し、これら使用済スチール缶の複数本を一本の棒状に接続してそれぞれの脚体として使用可能にする簡易型トイレ器具である。
【００１５】
第５の構成は、これら各部材をまとめて収納して部材の保管、持ち運びが可能な収納容器を有する簡易型トイレ容器である。
【発明の効果】
【００１６】
本発明は上記の構成となっているため、器具全体を軽量小型に形成できるため、複数の器具を場所を取らずに収納保管でき、かつこれらを簡単に組み立てられるため、災害発生時に多くの人が即座に使用することできる。従って単に個人的使用のみでなく、学校等の公共施設における使用でも好適である。
【００１７】
また、部品一式を肩掛け式の容器など簡易な容器に収納可能であるため、子供や女性でも容易に持ち運びが可能であって、キャンプやハイキングなどのレジャーでも気軽く使用することができる。同時に、日常生活で多数廃棄されるペットボトルやスチール缶等も利用可能であるので本器具を緊急に使用する事態が発生したときもこの事態に対処することができる。
【００１８】
更に、器具の各部品をプラスチック等で各々一体成型することが可能であるため、大量生産が可能であり本器具を多くの人に安価に提供できる。従って、例えば自治体等が各家庭に防災用品として無償或いは安価で提供することも可能となる。
【図面の簡単な説明】
【００１９】
【図１】本発明に係る第１の実施例を示し、（Ａ）は便座の側面図、（Ｂ）は便座の平面図、（Ｃ）は便座の下面体の平面図である
【図２】便座の使用例を示し、（Ａ）は脚体をペットボトルとした場合の簡易便器の斜視図、（Ｂ）は脚体をスチール缶とした場合の簡易便器の斜視図である。
【図３】支持棒に傘を取り付けた状態の斜視図である。
【図４】脚体をスチール缶とした場合の脚体の構成例を示し、（Ａ）は各スチール缶を接続するためのジョイントの斜視図、（Ｂ）はこれらジョイントを用いて構成したスチール缶による脚体の斜視図である。
【図５】支持棒を構成する分割ポールにより脚体を構成した簡易便器の斜視図である。
【図６】上下面を一体的に形成した便座であって、（Ａ）は上面を示す便座の斜視図、（Ｂ）は下面を示す便座の斜視図である。
【図７】簡易便器を構成する部材の収納方法の一例を示す図であって、（Ａ）は収納される各部材の平面を示す図、（Ｂ）はこの各部材を収納容器に収納した際の各部材の配置状態を示す図である。
【発明を実施するための形態】
【００２０】
以下、本発明の実施の形態を図に基づいて具体的に説明する。
【実施例１】
【００２１】
図１は本発明に係る簡易トイレ用器具の第１の実施例を示し、本器具の中心的部材を成す便座の構成を示す。
矢印１は便座を示す。この便座１は便器本体若しくは便器として代用する缶（特許文献１参照）に載置する構成のものではなく、後述するように専用の脚体或いは脚体に代用するペットボトル等の脚代用部材に直接接続し、この脚体或いは脚体代用品に支えられて、使用者の体重を直接支えるもものであるため、これに耐える十分な強度を有するよう構成されている。
【００２２】
この便座１は表裏一体として一つの部材として一体的に形成することも可能であるが、後述するようにスチール缶用のジョイント部材などの部品を収納する空間を確保するため、上下二つの部材を一体化して一つの便座を構成するようにしたものが利便性が高い。以下上下二つの部材から構成した便座を例に説明する。
【００２３】
図中符号１Ａは便座１の上面部を構成する部材（以下「上面体」とする）であり、符号１Ｂは同便座１の下面を構成する部材（以下「下面体」とする）である。これら上面体１Ａと下面体１Ｂを嵌合することにより内部に部品収納空間を有する一体的な便座１を構成する。
【００２４】
なお本願器具は地震などの災害時或いはキャンプ等の屋外で使用されるため、持ち運びが容易なよう軽量でしかも使用時に人の体重に十分耐えられるような強度で構成されている。これら上面体１Ａ、下面体１Ｂは例えば比較的肉厚に一体成型されたプラスチック成型物が、重量や強度の点から好適である。
【００２５】
上面体１Ａ及び下面体１Ｂから成る便座１は、同図（Ａ）の如く平面略円形の本体部１ａに対して切欠き部１ｂ及び支持棒挿通部１ｃが突出形成された形状となっている。符号１ｃ´はこの支持棒挿通部１ｃに形成された支持棒挿通孔である。
【００２６】
便座１のうち下面体１Ｂの構成を同図（Ｃ）を用いて説明する。
符号２ａ、２ｂ、２ｃ、２ｄは便座に接続する脚体或いはこれに代替するペットボトルやスチール缶などの部材が係合接続する接続部（以下「脚体接続部」とする）である。この４か所の脚体接続部の配置位置は便器使用者の体重が略均等に分散されるような位置に各々配置されている。また、これらの脚体接続部は以下の構成となっている。
【００２７】
この４つの脚体接続部の構成を、脚体接続部２ａを例に説明すると以下のとおりである。
即ち。下面体１Ｂの内面（上面体１Ａと係合した際に便座１の内部に位置する面）にはボス２ａ１が環状に突出形成され、これによりボス２ａ１中央には円形の凹所２ａ２が形成される。この凹所２ａ２に脚体に対応する部材の頂部を嵌挿する。これにより図２に示すように便座１から直接脚体が展出した状態の簡易便器が構成される。なお、前記ボス２ａ１は凹所の形成の外、脚部材と便座１との係合接続を補強する部材として機能する。更に、このボスの外周部に後述するスチール缶接続用のジョイント部材を嵌挿するようにしておけば便器１内に各部品を後述のボス３ａ乃至３ｄと同様に部品を所定の位置に固定することができる。
【００２８】
符号３ａ、３ｂ、３ｃ、３ｄは前記脚体接続部２ａ乃至２ｄを形成するボスとほぼ同様の構成のボスであるが、前記ボスとは相違し、後述するスチール缶の接続を行う部材を係止保存するものである。また、ボス３ｅに対しては前記支持棒挿通部１ｃに配置した支持棒の下端部を固定するための固定部材６が固定されている。なおこの固定部材６の固定は、例えば固定部材６に突設された凸部（図示せず）をボス３ｅの凹所に嵌合する等の方法により取り付けられる。
【００２９】
図２は図１に示した構成の組立て状態を示す。同図（Ａ）は脚体をペットボトル５とした構成を示す。ペットボトル５は例えば２リットル容器のものを用い、水を充填してキャップを閉めた状態にしたものを使用する。この状態の各ペットボトル５を、キャップ側が便座１の裏面の脚体接続部２ａ乃至２ｄの凹所（図１（Ｂ）参照）に嵌入するようにしてそれぞれ固定する。なお、前記の脚体接続部２ａ乃至２ｄの凹所の内径は、前記各ペットボトル５のキャップの外径が３２mmであるのに対応してこの値とほぼ同様或いはやや大きめの値として形成しておく。このようにして便座１に脚体として４本のペットボトル５を接続することにより簡易便器を構成する。
【００３０】
上記の状態で便器として構成されるので用便は可能であるが、用便時に使用者本人の姿を隠すために以下の手段を講ずることができる。即ち、便座１の支持棒挿通部１ｃに支持棒７を挿通立設する。この際、前記スタンド支持具６を便座１の下面体１Ｂから取り外し、スタンド支持具６の凸部を支持棒７の下端部と係合させ、かつ同支持具の他端はペットボトル５により押さえて前記支持棒挿通部１ｃ、スタンド支持具６により支持棒７をしっかりと固定する。
【００３１】
なお、支持棒７は、専用部品として構成しても良いが後述する便座の脚として利用可能となるよう兼用部品とすることが部品の点数減少からも望ましい。以下支持棒７については、兼用部品として説明する。
因みに、図示の構成では４本のポール部材７ａ、７ｂ、７ｃ、７ｄを連接して一本の支持棒７が構成されている。
【００３２】
上記の様に立設した支持棒７に直接シートを掛けて本人の姿を隠してもよいが、この支持棒７に傘を取り付け、この傘に対してシートを掛けると傘を天井部としてその周囲にシートが垂れ下がるので本人の居る空間を大幅に広げることができ、使い勝手がより良好になる。
【００３３】
図３は支持棒７に対して傘を取り付けた状態を示す。図２（Ａ）の如く、最上段のポール部材７ａに設けたジョイント部７ｃｎに対しては傘の軸８ａを係止する係止部材７ｃｎ´（図２（Ｂ）参照）が設けられている。この係止部材７ｃｎ´に傘８の軸８ａが取り付けられる。図示の場合は軸８ａの基部が係止されているが、より高く傘８を位置させたければ把手８ｂに近い部分の軸を係止するようにすればよい。符号９はこの傘８に掛けたシートを示す。なお、当然のことながら、傘８を用いることにより雨天時でも体を濡らさずに用便を行うことができる。
【００３４】
図４は図２（Ｂ）に示すスチール缶を脚体とした場合のスチール缶の接続状態を示す。
先ず、図２（Ｂ）は、脚体としてスチール缶を用いた場合の構成状態を示す。
ここで、「スチール缶」とはその名のとおりスチールで缶体が構成されたものの総称であるが、本実施例に使用するものは、流通量が最も多く殆どの自販機で購入可能な以下のサイズのものを指すものとする。
【００３５】
即ち、内容量が１８５〜１９０ml、外径５３mm、高さ１０４．５〜１０５mm、の缶である。この大きさのスチール缶は所謂「缶コーヒー」と称されている缶入りコーヒー飲料の大半に用いられ、かつ一部の果汁飲料にも用いられているものであって、コンビニエンスストア、スーパーマーケット等の小売店、又は自動販売機等で購入可能な最も一般的なサイズの缶である。以下「スチール缶」の語は特に断らない限りこのサイズのスチール缶を指すものとする。
【００３６】
図４はスチール缶による脚体の組み立て状態を示す。同図（Ａ）は組み立て用のジョイント部材を、（Ｂ）は脚体としての使用可能な組み立て状態を示す。
先ず３本のスチール缶１０（空き缶でよい）を用いて１本の脚体を構成する。これにより１本の脚体の全高は３００mm強となる。各缶を接続するために３個のジョイント部材を用いる。
【００３７】
同図（Ａ）において示される、２個の中間ジョイント部材１１と１個の頂部ジョイント部材１２が用いられる。
先ず、中間ジョイント部材１１は対向する二つの側壁部１１ａ，１１ａとこの二つの側壁部を対向位置させるようこれらの側壁部に連接するスペーサ１１ｂから成っている。またスペーサ１１ｂは後述する理由によりリング状に形成されている。また当該スペーサ１１ｂの外径はスチール缶１０の外径に対応して５３mm程度となっている。
【００３８】
なお、前記側壁部１１ａが円筒をその軸心方向に対してほぼ４分割した形状となっているのは、二つのジョイント部材１１において一対の側壁部１１ａをずらせることにより、これら二つのジョイント部材１１を上下に重ね合わせることができるため、図１（Ｃ）に示すように便座１の収納空間に収納可能にすることを目的とした結果である。従って、この点を考慮しなければ、側壁部１１ａを一体化してリング状に形成し、かつその高さも前記収納空間の高さにとらわれず自由に設定することができる。
【００３９】
次に頂部ジョイント部材１２の構成について説明する。
符号１２ａは便座１の脚体接続部２ａ〜２ｄ（図１（Ｃ）参照）に対して嵌挿挿通する挿通部である。これら脚体接続部２ａ〜２ｄのボスの内径は、前記ペットボトルのキャップの外径に対応して略３２mmに形成されているので、このボスに嵌挿可能なよう挿通部１２ａの外径も略３２mmに形成されている。
【００４０】
また、ジョイント部材基部のキャップ部１２ｂはスチール缶１０の上端に嵌挿固定されるため裏面にはスチール缶１０の外径５３mmと略同じ値の径を有する凹所（図示せず）が形成されている。
【００４１】
スチール缶１０を用いて脚体を構成するに当たっては、例えば一つのスチール缶１０に対してジョイント部材１１を用いて他のスチール缶１０を接続し、続いて第３番目のスチール缶１０を他のジョイント部材１１を用いて接続する。更に最上端のスチール缶１０の上端に対して頂部ジョイント部材１２を嵌挿して１本の脚体を構成する。この手順で残り３本の脚体を構成し、各脚体の頂部ジョイント部材１２の挿通部１２ａを便座１の脚体接続部２ａ〜２ｄにそれぞれ嵌挿し、第２図（Ｂ）に示す簡易便器を構成する。なお図示の構成の場合も同図（Ａ）の構成と同様支持棒７が立設されている。
【００４２】
また上面体１Ａと下面体１Ｂとを嵌合させる前に、ビニル袋の上端縁をこれら上面体１Ａと下面体１Ｂ両者の間に挟み込み、かつ中央の円形空間にビニル袋を垂らし、このビニル袋に排泄物を溜める等適宜の方法を採用することができる。
【実施例２】
【００４３】
図５は第２の実施例を示す。  
この実施例では、前記実施例１で用いた支持棒７の構成部材を便座１の脚体として用いる構成を示す。
【００４４】
前記実施例でも示したとおり支持棒７は４本の構成部材から成り、これらの構成部材をそれぞれ脚体として用いるものである。
支持棒７を構成している構成部材である分割ポール７´の一端（図示の場合は上端の位置）にはジョイント部７ｃｎが設けられている。このジョイント部７ｃｎの外径は、便座１の脚体接続部２ａ〜２ｄに嵌挿するため当該接続部の内径３２mmに対応するようこの内径と略同様の約３２mmとなっている。また外径が略３２mmのジョイント部７ｃｎが嵌挿される分割ポール７´の外径は当然これよりも小さい例えば３０mm程度のものが使用される。
【００４５】
この分割ポール７´の下端には前記実施例１で用いられているスチール缶１０の頂部に嵌挿される頂部ジョイント部材１２を流用して取り付けられている。この頂部ジョイント部材１２の挿通部１２ａの外径も前述のとおり略３２mmであるため、前記ジョイント部７ｃｎに対応する外径の分割ポール７´に対してはそのまま取り付けが可能である。また、頂部ジョイント部１２の大径のキャプ部１２ｂが脚体の接地部となるため、脚体の安定性のため好適である。
【００４６】
上記の方法で４本の分割ポール７´により４本の脚体が構成され、各脚体のジョイント部７ｃｎが便座１の脚体接続部２ａ〜２ｄに嵌挿されることにより簡易便器が構成される。なおこれら脚体の接地部は頂部ジョイント部１２の幅広のキャップ部１２ｂとなるためトイレ使用時に高い安定性を確保することができる。
【実施例３】
【００４７】
図６は第３の実施例を示す。この実施例は便座を上下２分割した構成を廃して表裏一体の完全一体型にした構成である。同図（Ａ）及び（Ｂ）において矢印１３は一体型便座を示す。また、また同図（Ｂ）において符号１４ａ，１４ｂ、１４ｃ、１４ｄは脚体と接続係合するための凹所である。
【００４８】
この凹所は前記の図１（Ｃ）における脚体接続部２ａ、２ｂ、２ｃ、２ｄに対応するものであって、前記ペットボトル５のキャップ、スチール缶１０に取りつけた頂部ジョイント部材１２の挿通部１２ａ，或いは分割ポール７´のジョイント部７ｃｎの各外径の値３２mmに対応して内径略３２mmとしてある。これにより前記各実施例に示すペットボトル５、スチール缶１０、分割ポール７´の何れもが脚体として利用可能なよう構成されている。
【実施例４】
【００４９】
図７は上述した各実施例の部材の収納の一例を示す。
同図（Ａ）は収納容器に収納する部材の例を示す。収納する部材としては先ず簡易便器本体を成す便座である．もとより収納可能な便座は上下分割型の便座１或いは一体型の便座１３の何れであっても可能である。
【００５０】
また、４本のポール部材７´も収納の対象である。符号１５はシート収納バッグである。このシート収納バッグ１５は平面略円形に形成されている。その外径は便座１（１３）中央の円形空間Ｓ内に収納可能な大きさとしておく。このシート収納容器１５は、例えば容器外周にファスナーを形成し、シート状物を収納した後ファスナーを閉めるという構成のファスナー付きバッグとして形成された容器である。
【００５１】
またこの収納容器１５に収納するシート状物は、例えば図３に示すような傘８を覆うシート９、或いは簡易便器使用者が着ることにより使用者本人及び同便器全体を覆うように形成されたポンチョ等が考えられる。
【００５２】
図（Ｂ）は前記の部材を専用の収納容器１６に収納した状態を示す。先ず便座１（１３）が配置される。続いて便座１（１３）の円形空間Ｓにシート収納容器１５をこの円形空間内に配置する。最後に４本の分割ポール７´を収納し、容器１６の側縁に設けたファスナー（図示せず）を閉める。この状態で所定の場所に容器１６を保管する。
【００５３】
また、持ち運びに当たっては、把手１６aを用いて本容器を手提げ状態で持ち運んだり、容器１６内に一端が接続し、かつ同容器内に内蔵されているベルト（図示せず）を取り出し、その他端をベルト係合部１６ｂに係合させることによりこのベルトを肩に掛けてショルダーバッグとして持ち運んでもよい。
【産業上の利用可能性】
【００５４】
以上本発明は、専用の分割ポール又は使用済のペットボトル、スチール缶等の廃材を利用して便器として用いることを目的としているが、便座をペール缶やバケツに配置して使用することもできる。
【符号の説明】
【００５５】
１  便座
１Ａ  （便座１の）上面体
１Ｂ  （便座１の）下面体
１ａ  （便座１の）本体部
１ｂ  （便座１の）切欠き部
１ｃ  （便座１の）支持棒挿通部
１ｃ´  （支持棒挿通部１ｃの）支持棒挿通孔
２ａ、２ｂ、２ｃ、２ｄ  脚体接続部
２ａ１  ボス
２ａ２  凹所
３ａ、３ｂ、３ｃ、３ｄ、３ｅ  ボス
５  ペットボトル
６  スタンド支持具
７  支持棒（スタンド）
７´  分割ポール
７ｃｎ  ジョイント部
７ｃｎ´  （ジョイント部の）傘係止部
８  傘
８ａ  （傘の）軸
８ｂ  （傘の）把手
９  シート
１０  スチール缶
１１  ジョイント
１１ａ  （ジョイントの）側壁部
１１ｂ  （ジョイントの）スペーサ
１２  頂部ジョイント
１２ａ  （頂部ジョイントの）挿通部
１２ｂ  （頂部ジョイントの）キャップ部
１３  一体型便座
１４ａ、１４ｂ、１４ｃ、１４ｄ  脚体係合用凹所
１５  シート収納用容器
１６  簡易トイレ構成部材収納用容器
１６ａ  （簡易トイレ構成部材収納用容器の）把手
１６ｂ  （簡易トイレ構成部材収納用容器の）ベルト係合部
【図１】
2019071979.tif 000003
【図２】
2019071979.tif 000004
【図３】
2019071979.tif 000005
【図４】
2019071979.tif 000006
【図５】
2019071979.tif 000007
【図６】
2019071979.tif 000008
【図７】
2019071979.tif 000009